【手続補正書】
【提出日】平成18年4月11日(2006.4.11)
【手続補正１】
【補正対象書類名】特許請求の範囲
【補正対象項目名】全文
【補正方法】変更
【補正の内容】
【特許請求の範囲】
【請求項１】
名前、年齢、性別、住所、病歴、患者の服用中の薬剤、職業、および以前のワクチン接種データからなるグループから選択された患者情報を入力するために、ワクチン接種場所でコンピュータ上のアプリケーションを実行するステップと、
電子患者記録として前記患者情報を格納するステップと、
前記患者が再検討するためのワクチン接種に関する情報を生成するステップと、
電子同意契約書を生成することおよび承諾を認める前記患者のデジタル署名を格納することによって、前記ワクチン接種を受けるための患者の同意を得るステップと、
前記患者に対して前記ワクチン接種が投与されたときに、前記ワクチン接種に関する新しいワクチン接種データを前記電子患者記録に入力するステップと
を備えたことを特徴とする患者に関する予防接種データを収集および管理する方法。
【請求項２】
前記患者のワクチン接種位置のデジタル画像を生成するステップと、
前記デジタル画像を前記電子患者記録に格納するステップと
を備えたことを特徴とする請求項１に記載の方法。
【請求項３】
前記患者が経験した症状を含む疾病情報を入力するステップと、
前記疾病情報を前記電子患者記録に格納するステップと
を備えたことを特徴とする請求項１に記載の方法。
【請求項４】
前記疾病情報が天然痘の症状に関するものであることを特徴とする請求項３に記載の方法。
【請求項５】
前記患者の天然痘障害部位のデジタル画像を生成するステップと、
前記デジタル画像を前記電子患者記録に格納するステップと
を備えたことを特徴とする請求項４に記載の方法。
【請求項６】
前記電子患者記録を、複数の患者それぞれに対応する前記電子患者記録と共にデータベースに格納するステップと、
前記データベースを更新するために、遠隔地にある前記電子患者記録のいずれかに実行された変更を、前記データベース内の対応する前記電子患者記録と同期させるステップと
を備えたことを特徴とする請求項１に記載の方法。
【請求項７】
前記複数の患者のいずれかが経験した症状を含む疾病情報を入力するステップと、
対応する前記電子患者記録に前記疾病情報を格納するステップと
を備えたことを特徴とする請求項６に記載の方法。
【請求項８】
前記疾病情報が天然痘の症状に関するものであり、前記データベースには、疾病管理センタ、州政府事務局、連邦政府事務局、および医療センタからなるグループから選ばれた職員がアクセス可能であることを特徴とする請求項７に記載の方法。
【請求項９】
前記患者は、ウェブブラウザおよび電話トランザクションのうちの少なくとも１つを使用して、前記電子患者記録にアクセス可能であることを特徴とする請求項１に記載の方法。
【請求項１０】
前記ワクチン接種後に前記複数の患者のいずれかが経験した症状を含む有害反応情報を入力するステップと、
前記有害反応情報を対応する前記電子患者記録に格納するステップと
を備えたことを特徴とする請求項６に記載の方法。
【請求項１１】
前記有害反応情報は、天然痘ワクチン接種に関するものであり、前記データベースには、疾病管理センタ、州政府事務局、連邦政府事務局、および医療センタからなるグループから選ばれた職員がアクセス可能であることを特徴とする請求項１０に記載の方法。
【請求項１２】
前記患者情報および前記ワクチン接種の反応に関するデータに基づいて、前記患者が前記ワクチン接種を受ける資格があるか否かを判別するために、前記コンピュータ上で勧告エンジンを実行するステップを備えたことを特徴とする請求項１に記載の方法。
【請求項１３】
前記生成するステップは、ワクチン情報文書すなわちＶＩＳ、および前記ワクチン接種に関するよくある質問すなわちＦＡＱに対する回答のうちの少なくとも１つを生成するステップを含むことを特徴とする請求項１に記載の方法。
【請求項１４】
名前、年齢、性別、病歴、ワクチン接種履歴、健康状態、患者の服用中の薬剤、職業、および旅行計画からなるグループから選択された患者情報を受け取るステップと、
ワクチン接種の実際の反応および潜在的な反応のうちの少なくとも１つに関するワクチン接種データを受け取るステップと、
前記患者情報および前記ワクチン接種データに基づいてワクチン接種を受ける場合の患者への健康リスクを決定するステップと、
前記健康リスクに基づいてワクチン接種に関する勧告を生成するステップと
を備えたことを特徴とする患者のワクチン接種に関する勧告を決定するための方法。
【請求項１５】
前記生成するステップは、前記健康リスクが所定のレベルを超えるものと決定された場合、ワクチン接種を受けることからリスクベースの免除を生成するステップを含むことを特徴とする請求項１４に記載の方法。
【請求項１６】
名前、年齢、性別、住所、病歴、患者の服用中の薬剤、職業、および以前のワクチン接種データからなるグループから選択された患者情報を入力するために、ワクチン接種場所でコンピュータ上のアプリケーションを実行するステップと、
電子患者記録として前記患者情報を格納するステップと、
前記患者が経験した症状を含む疾病情報を入力するステップと、
前記疾病情報を前記電子患者記録に格納するステップと、
前記患者に現れた病徴のデジタル画像を生成するステップと、
前記デジタル画像を前記電子患者記録に格納するステップと
を備えたことを特徴とする予防接種および疾病情報を収集および格納するための方法。
【請求項１７】
前記疾病情報は、天然痘の症状に関するものであることを特徴とする請求項１６に記載の方法。
【請求項１８】
前記デジタル画像を生成するための前記生成ステップは、前記患者の天然痘病変部位のデジタル画像を生成するステップを含むことを特徴とする請求項１７に記載の方法。
【請求項１９】
前記アプリケーションは、前記患者がそれぞれの日に前記症状に関する日誌項目を生成し、前記電子患者記録に格納できるようにプログラムされることを特徴とする請求項１６に記載の方法。
【請求項２０】
名前、年齢、性別、住所、病歴、患者の服用中の薬剤、職業、および以前のワクチン接種データからなるグループから選択された患者情報を入力するために、ワクチン接種場所でコンピュータ上のアプリケーションを実行するステップと、
電子患者記録として前記患者情報を格納するステップと、
前記アプリケーションを介して、ワクチン接種後に前記患者が経験した有害副作用を含む有害反応情報を入力するステップと、
前記有害反応情報を前記電子患者記録に格納するステップと
を備えたことを特徴とする予防接種データを収集および格納するための方法。
【請求項２１】
前記電子患者記録をデータベースに格納するステップをさらに備えたことを特徴とする請求項２０に記載の方法。
【請求項２２】
前記アプリケーションは、前記有害反応情報を入力するときに、ワクチンに対する有害反応を文書化するためのプロトコルに準拠するようにユーザを指導するための画面を生成するようにプログラム可能であることを特徴とする請求項２０に記載の方法。
【請求項２３】
前記アプリケーションは、疾病対策センタおよび国立衛生研究所のうちの少なくとも１つによって定められたプロトコルに準拠した前記有害反応文書を、収集および格納するようにプログラム可能であることを特徴とする請求項２２に記載の方法。
【請求項２４】
前記アプリケーションは、それぞれの日に前記有害副作用に関する日誌項目を前記電子患者記録に作成するときに、ユーザを指導するための少なくとも１つの画面を生成するようにプログラム可能であることを特徴とする請求項２０に記載の方法。
【請求項２５】
データセンタと通信する少なくとも１つの予防接種移動局を含む少なくとも１つのアドホックネットワークを確立するステップであって、前記データセンタは、それぞれワクチン予防が可能な疾病およびそのためのワクチンに関する、疾病情報およびワクチン接種情報を格納するように構成される、確立するステップと、
要求された場合、前記予防接種移動局で、前記疾病情報および前記ワクチン接種情報のうちの少なくとも１つを提供するステップと、
要求された場合、前記予防接種移動局を介してワクチン接種を受ける患者に対して、前記疾病情報および前記ワクチン接種情報のうちの少なくとも１つを提示するステップと、
前記データセンタから遠隔の場所で投与されるワクチンを受ける患者に関する、患者データおよびワクチン投与データを収集および格納するための少なくとも１つのアプリケーションを使用して、前記予防接種移動局を構成するステップと、
前記患者データおよび前記ワクチン投与データを含む電子患者記録を生成するステップと、
前記電子患者記録をデータベースに格納するために前記データセンタに伝送するステップと
を備えたことを特徴とする予防接種データを収集および格納するための方法。
【請求項２６】
前記患者データおよび前記ワクチン接種情報に基づいてワクチン接種を受ける場合の患者への健康リスクを決定するステップと、
前記健康リスクに基づいてワクチン接種に関する勧告を生成するステップと
をさらに備えたことを特徴とする請求項２５に記載の方法。
【請求項２７】
患者に現れた症状のデジタル画像を生成するステップと、
前記デジタル画像を前記患者に対応する前記電子患者記録のうちの１つに格納するステップと
をさらに備えたことを特徴とする請求項２５に記載の方法。
【請求項２８】
前記症状は天然痘病変であることを特徴とする請求項２７に記載の方法。
【請求項２９】
前記アプリケーションを使用して、患者が経験したワクチンの有害副作用に関する有害反応データを生成するステップと、
前記有害反応データを前記患者に対応する前記電子患者記録のうちの１つに格納するステップと
をさらに備えたことを特徴とする請求項２５に記載の方法。
【請求項３０】
前記アプリケーションは、前記有害反応データを入力するときに、ワクチンに対する有害反応を文書化するためのプロトコルに準拠するようにユーザを指導するための画面を生成するようにプログラム可能であることを特徴とする請求項２９に記載の方法。
【請求項３１】
前記アプリケーションは、疾病対策センタおよび国立衛生研究所のうちの少なくとも１つによって定められたプロトコルに準拠した前記有害反応データを収集および格納するようにプログラム可能であることを特徴とする請求項３０に記載の方法。
【請求項３２】
前記アプリケーションは、前記患者が、それぞれの日に前記症状に関する日誌項目を生成し前記電子患者記録に格納できるようにプログラム可能であることを特徴とする請求項２５に記載の方法。
【請求項３３】
前記予防接種移動局とピアツーピア無線通信を行う少なくとも１つの他の予防接種移動局をさらに備えたことを特徴とする請求項２５に記載の方法。
【請求項３４】
疾病情報、ワクチン接種情報、電子患者記録、およびワクチン投与データを格納するためのデータベースと、
ワクチン接種を受ける患者の患者経歴情報、患者の病歴、ワクチン接種日、ワクチンロット番号、ワクチン投与場所、ワクチンの有害反応に関する有害反応データ、対応する前記電子患者記録に格納され前記ワクチン投与データの生成に使用されるサービスプロバイダ入力データからなるグループから選択されたサービスプロバイダ入力データを受け取るため、および前記データベースからサービスプロバイダへ出力データを伝送するための、サービスプロバイダトランザクションモジュールであって、前記出力データは前記疾病情報、前記ワクチン接種情報、および前記電子患者情報からなるグループから選択されるものであり、前記疾病情報および前記ワクチン接種情報はそれぞれワクチン予防が可能な疾病およびそのためのワクチンに関する情報を含むものである、サービスプロバイダトランザクションモジュールと、
前記ワクチン投与データおよび前記疾病情報のうちの少なくとも１つを要求に応じて顧客に提供するための顧客トランザクションモジュールであって、前記ワクチン投与データは、選択されたグループ内のどの前記患者が選択されたワクチンの接種を受けたかを識別するためのデータを追跡することを含み、前記疾病情報は、前記患者が経験し前記電子患者記録に文書化された症状を含むものである、顧客トランザクションモジュールと
を備えたことを特徴とする予防接種および疾病情報を管理するためのシステム。
【請求項３５】
前記顧客は、政府、州政府、中央政府、病院、健康診療所、コールセンタ、小売店、薬局、企業、雇用主、規制グループ、政府機関、および疾病対策センタからなるグループから選択されることを特徴とする請求項３４に記載のシステム。
【請求項３６】
前記顧客トランザクションモジュールは、伝染病の評価および管理のために前記疾病情報を前記顧客に提供するように動作可能であることを特徴とする請求項３４に記載のシステム。
【請求項３７】
前記顧客トランザクションモジュールは、ワクチン接種に関する規制要件への準拠を決定するために前記ワクチン投与情報を前記顧客に提供するように動作可能であることを特徴とする請求項３４に記載のシステム。
【請求項３８】
前記システムは、バイオテロリズムへの備えのために前記顧客によって実装されることを特徴とする請求項３４に記載のシステム。
【請求項３９】
前記疾病情報、前記ワクチン接種情報、および対応する前記電子患者記録の１つのうちの、少なくとも１つを患者に提供するための、ならびに、患者経歴情報、患者の病歴、ワクチン接種履歴、および有害反応データからなるグループから選択された、患者入力データを受け取るための、患者トランザクションモジュールをさらに備えたことを特徴とする請求項３４に記載のシステム。
【請求項４０】
前記サービスプロバイダ入力データを収集および格納するようにプログラム可能な、少なくとも１つのリモート処理装置をさらに備えたことを特徴とする請求項３４に記載のシステム。
【請求項４１】
前記リモート処理装置は、前記電子患者記録および前記ワクチン投与データのうちの少なくとも１つからのデータにより、疾病対策センタワクチン有害反応報告書を生成するためのアプリケーションプログラムを含むことを特徴とする請求項４０に記載のシステム。
【請求項４２】
診療所関連情報は、診療所で実行されるワクチン接種に関する診療所報告書を生成するために前記ワクチン投与データを使用して生成されることを特徴とする請求項３４に記載のシステム。
【請求項４３】
前記診療所関連情報は、診療所のアクティビティをリストアップした疾病対策センタ種痘症ＩＮＤ名簿、前記診療所を訪問した患者の前記電子患者記録、およびワクチン有害反応の概要からなるグループから選択されることを特徴とする請求項４２に記載のシステム。
【請求項４４】
複数の診療所に関する前記診療所関連情報は、複数のワクチン投与場所に関する報告書を生成するために、前記データベース内の前記ワクチン投与データから取り出されることを特徴とする請求項４２に記載のシステム。